(57)【要約】【課題】必ず駐車場の利用者の目に止まる表示であって、前向駐車、後向駐車又は両向駐車の内のいずれの駐車方向で駐車するべきか、駐車場の利用者が一目瞭然に理解可能な駐車方向の指示表示を提供することにある。【解決手段】太い線で構成した線分５と、線分５に対して直角方向に配置した太い線で構成した矢印６、７、８とからなる駐車方向の指示表示を表した看板１、２、３とする。また、太い線で構成した線分５と、線分５に対して直角方向に配置した太い線で構成した矢印６、７、８と、太い文字で構成した駐車指示文言１４、１５、１６とからなる駐車方向の指示表示を表したシール１１、１２、１３とする。【選択図】図１
0003125183.tif 000002
【実用新案登録請求の範囲】
【請求項１】
線分と前記線分に対して直角方向に配置した矢印とからなる駐車方向の指示表示。
【請求項２】
線分と前記線分に対して直角方向に配置した矢印と駐車方向を指示する文言（以下単に「駐車指示文言」という。）とからなる駐車方向の指示表示。
【請求項３】
請求項１又は請求項２のいずれかに記載した駐車方向の指示表示を表示したことを特徴とするシール、シート、看板、板又はブロック。
【請求項４】
請求項１又は請求項２のいずれかに記載した駐車方向の指示表示を表示したことを特徴とする駐車場。
【考案の詳細な説明】
【技術分野】
【０００１】
本考案は駐車場に取り付ける表示であって、駐車場の駐車スペースに対して車を前進させて進入する駐車方向（以下単に「前向駐車」という。）、駐車スペースに対して車を後退させて進入する駐車方向（以下「後向駐車」という。）又は前向で駐車しても後向で駐車しても構わない駐車方向（以下「両向駐車」という。）のいずれの方向で駐車すべきかについて、利用者が一目瞭然に理解することを可能とした駐車方向の指示表示に関する。
【背景技術】
【０００２】
図３に示したように、通常のセダン型乗用自動車２１では後輪２１ａの中心からリヤバンパまでの距離であるリヤ  オーバーハングＡの方が、前輪２１ｂの中心からフロントバンパまでの距離であるフロントオーバーハングＢより長いことが多い。
このため駐車スペースＬに設置した、車止め２０ｃの車輪接触面から壁２０ｂや他の車などとの間のスペース（以下単に「車止奥スペース」という。）Ｊについて、前向駐車を採用すると後向駐車の場合と比べ狭くすむ。そこで車止奥スペースＪの広い駐車場では後向駐車を奨励し、車止奥スペースＪの狭い駐車場では前向駐車を奨励する場合がある。
しかし前向駐車をした場合、駐車スペースＬから出るときにハンドルを大きく回すと隣の車に衝突するため、隣の車との間の間隔を大きく取るか又は車が出入りするための通路（以下単に「出入通路」という。）２０ａの幅Ｋを広く取る必要が生じことから、後向駐車を奨励したり義務づける駐車場がある。
また周囲の植物を排気ガスから保護するため、あるいは周囲の壁や塀や住宅などが排気ガスにより汚れることを防ぐためなどの理由により、前向駐車を奨励したり義務づける駐車場がある。
前向駐車や後向駐車を奨励したり義務づけている駐車場では、駐車場の看板などに「前向駐車」、「後向駐車」、「前向駐車でお願いします」、「後向駐車でお願いします」、「前向駐車専用」、「後向駐車専用」、「前向駐車厳禁」又は「後向駐車厳禁」などといった駐車方向を指示する文言（以下単に「駐車指示文言」という。）を表示することが行われているが、このような駐車指示文言に気づく人は少ない。
このため、その駐車場を初めて利用する場合に、多くの利用者は駐車指示文言に気がつかずに止めてしまい、駐車場から出るときに初めて気がつくなど駐車場の利用者に気まずい思いをさせたり、一旦駐車スペースに車を止めた後に駐車指示文言に気がつき、駐車方向を変更して改めて駐車をやり直すなど、駐車場を利用する人に二度手間をかける問題があった。
【考案の開示】
【考案が解決しようとする課題】
【０００３】
本考案は、上記した欠点を除くためになされたものであってその目的とするところは、必ず駐車場の利用者の目に止まる表示であって前向駐車、後向駐車又は両向駐車の内のいずれの駐車方向で駐車するべきか、駐車場の利用者が一目瞭然に理解可能な駐車方向の指示表示を提供することにある。
【課題を解決するための手段】
【０００４】
本考案は、太い線で構成した線分と、線分に対して直角方向に配置した太い線で構成した矢印とからなる駐車方向の指示表示とする。さらに、太い線で構成した線分と、線分に対して直角方向に配置した太い文字で構成した矢印と、駐車指示文言とからなる駐車方向の指示表示とする。
【考案の効果】
【０００５】
本考案は太い線で構成した線分と矢印を組み合わせた駐車方向の指示表示又は太い線で構成した線分と矢印と駐車指示文言を組み合わせた駐車方向の指示表示を提供したので、本考案に係る駐車方向の指示表示を駐車場に表示すると、遠くの方からでも気がつくほど目立ち、また一目瞭然に駐車すべき方向について理解することができる。
【考案を実施するための最良の形態】
【０００６】
請求項１の考案は、線分と前記線分に対して直角方向に配置した矢印とからなる駐車方向の指示表示とする。
この指示表示は、駐車場の床や壁に塗装して表示したり、小さなブロックやタイルなどを床や壁に並べて表示したり、紙や布などを使用して壁に表示したり、旗や断幕などに表示して使用することができる。
線分を構成する線も、矢印を構成する線も、遠くの方から見えるように太い線とすることが好ましい。ここで矢印の矢が線分の方を向いているときは前向駐車を、矢印の矢が線分と反対方向を向いているときは後向駐車を、線分の方と線分の反対方向の両方に矢がついているときは両向駐車を意味している。
また、駐車場が利用者に所定の駐車方向で駐車することを利用者に希望している場合は、線分や矢印を白色、水色、緑色などの色合いの薄い色で構成し、駐車場が所定の駐車方向で駐車することを利用者に厳守させたい場合は、線分や矢印を黄色、黒色、赤色、濃紺など色合いの濃い色で構成することが好ましい。
請求項２の考案は、線分と前記線分に対して直角方向に配置した矢印と駐車指示文言とからなる駐車方向の指示表示とする。
線分を構成する線も、矢印を構成する線も、駐車指示文言を構成する文字も、遠くの方から見えるように太く表示することが好ましい。
また、駐車場が利用者に所定の駐車方向で駐車することを利用者に希望している場合は、線分や矢印や駐車指示文言を白色、水色、緑色などの色合いの薄い色で構成し、駐車場が所定の駐車方向で駐車することを利用者に厳守させたい場合は、線分や矢印や駐車指示文言を黄色、黒色、赤色、濃紺など色合いの濃い色で構成することが好ましい。
請求項３の考案は、請求項１又は請求項２のいずれかに記載した駐車方向の指示表示を表示したことを特徴とするシール、シート、看板、板又はブロックとする。
シールの場合は糊面のカバーを剥がして駐車場の床面や壁面などに張って使用する。シートの場合は糊を塗布した後に駐車場の床面や壁面などに張って使用する。看板は天井から下げたり床に自立させて使用する。板は塀や壁面などに釘打ちやビス止めなどにより取り付けて使用する。ブロックは床面や壁面や車止めなどに埋め込んだりブロック自身を車止めに使用することも可能である。
請求項４の考案は、請求項１又は請求項２のいずれかに記載した駐車方向の指示表示を表示した駐車場とする。
本考案に係る駐車方向の指示表示を使用する駐車場では、駐車場の出入り口に本考案に係る駐車方向の指示表示を大きく表示したり、複数の駐車スペース毎にまとめて表示したり、各駐車スペース毎に個別に表示したりして使用する。
【実施例１】
【０００７】
以下本考案の実施例１を図１に示し説明する。図１の（ａ）は、樹脂の板９に白色の太い線で構成した線分５と、白色の太い線で構成した矢印６であって矢が線分５の方を向いている矢印６をプリントした看板１である。
図１の（ｂ）は、樹脂の板９に白色の太い線で構成した線分５と、白色の太い線で構成した矢印７であって矢が線分５と反対方向を向いている矢印７をプリントした看板２である。
また、図１の（ｃ）は、樹脂の板９に白色の太い線で構成した線分５と、白色の太い線で構成した矢印８であって矢が線分５の方と線分の反対方向の両方を向いている矢印８をプリントした看板３である。
看板１は前向駐車を、看板２は後向駐車を、看板３は両向駐車を指示しており、白色の太い線で表示したことから、看板１、２、３  は駐車場が希望する駐車方向を表示する用途に適している。
実施例１の看板２は、図３に示した駐車場２０の駐車スペースの奥の壁２０ｂにビス止めして取り付ける。駐車場２０は出入通路２０ａと多数の駐車スペースＬを有しており、駐車スペースＬには車止め２０ｃが取り付けてある。
看板２を取り付けた駐車場２０では後向駐車を推奨しており、車止め２０ｃの車輪接触面から壁２０ｂまでの間のスペースである、車止奥スペースＪを通常のセダン型乗用自動車２１のリヤ  オーバーハングＡが収まるよう大きく取ってあるため、リヤ  オーバーハングＡより小さなフロントオーバーハングＢは余裕を持って収まる。また、出入り通路２０ａの幅Ｋにも余裕があるため駐車場２０では後向駐車を推奨するものの、必ず後向駐車でなければならないという程強い表示はしていない。
もちろん本実施例において、線分や矢印に黄色、黒色、赤色、濃紺などの濃い色彩を使用することにより、強制力の強い駐車方向の指示表示とすることも可能である。
【実施例２】
【０００８】
さらに実施例２を図２に示し説明する。図２の（ａ）は、樹脂のシート１９に赤色の太い線で構成した線分５と、赤色の太い線で構成した矢印６であって矢が線分５の方を向いている矢印６と、「後向駐車厳禁」の駐車指示文言１４を赤色の太い文字でプリントしてなるシール１１である。
図２の（ｂ）は、樹脂のシート１９に赤色の太い線で構成した線分５と、赤色の太い線で構成した矢印７であって矢が線分５と反対方向を向いている矢印７と、「後向駐車専用」の駐車指示文言１５を赤色の太い文字でプリントしてなるシール１２である。
また図２の（ｃ）は、樹脂のシート１９に赤色の太い線で構成した線分５と、赤色の太い線で構成した矢印８であって矢が線分５の方と線分の反対方向の両方を向いている矢印８と、「前後両方駐車可」の駐車指示文言１６を赤色の太い文字でプリントしてなるシール１３である。
シール１１は前向駐車を、シール１２は後向駐車を、シール１３は両向駐車を指示するために使用する。赤色の表示としたこと及び「後向駐車厳禁」や「後向駐車専用」及び「前後両向駐車可」の 駐車指示文言が付記してあることから、駐車場の利用者は遠くの方から駐車方向の指示表示の存在を認識すると共に、駐車場の利用者が一目瞭然に駐車すべき方向について理解することが可能である。
実施例２のシール１２は、図３に示した駐車場２０の駐車スペースの奥の壁２０ｂに貼り付けて取り付ける。駐車場２０は出入通路２０ａと多数の駐車スペースＬを有しており、駐車スペースＬには車止め２０ｃが取り付けてある。
シール１２を取り付けた駐車場２０では後向駐車専用の駐車場であり、車止め２０ｃの車輪接触面から壁２０ｂまでの間のスペースである、車止奥スペースＪを通常の自動車のリヤーオーバーハングＡが収まるよう大きく取ってあるが、出入り通路２０ａの幅Ｋには余裕がない。このため駐車場２０ではシール１２を貼り付けることにより、後向駐車専用の駐車場であることを強く示すために表示したものである。
【産業上の利用可能性】
【０００９】
本考案は、駐車場を提供する産業で利用される以外にも、駐車場を建築する産業や、床面や壁面に対して塗装工事を行う産業や、シールやシートなどを製造販売する産業や、板材を加工したり看板を製造販売する産業や、ブロックを製造販売する産業などで利用される。
【図面の簡単な説明】
【００１０】
【図１】実施例１の看板の正面図である。
【図２】実施例２のシールの正面図である。
【図３】駐車場の一部の側面視の断面図である。
【符号の説明】
【００１１】
１  ：看板                  ２  ：看板                  ３  ：看板
５  ：線分                  ６  ：矢印                  ７  ：矢印
８  ：矢印                  ９  ：樹脂の板            １１  ：シール
１２  ：シール              １３  ：シール              １４  ：駐車指示文言
１５  ：駐車指示文言        １６  ：駐車指示文言        １９  ：樹脂のシート
２０  ：駐車場              ２０ａ：出入通路            ２０ｂ：壁
２０ｃ：車止め              ２１  ：自動車              ２１ａ：後輪
２１ｂ：前輪
【図１】
0003125183.tif 000003
【図２】
0003125183.tif 000004
【図３】
0003125183.tif 000005
【手続補正書】
【提出日】平成18年3月20日(2006.3.20)
【手続補正１】
【補正対象書類名】実用新案登録請求の範囲
【補正対象項目名】全文
【補正方法】変更
【補正の内容】
【実用新案登録請求の範囲】
【請求項１】
線分と前記線分に対して直角方向に配置した矢印とからなる駐車方向の指示表示を、塗装して表示したことを特徴とする駐車場の床面、駐車場の壁面又は駐車スペース。
【請求項２】
線分と前記線分に対して直角方向に配置した矢印とからなる駐車方向の指示表示を、小さなブロック又はタイルを並べて表示したことを特徴とする駐車場の床面、駐車場の壁面又は駐車スペース。
【請求項３】
線分と前記線分に対して直角方向に配置した矢印とからなる駐車方向の指示表示を有し、さらに糊面を有するシール又は糊を塗布する面を有することを特徴とするシート。
【請求項４】
線分と前記線分に対して直角方向に配置した矢印とからなる駐車方向の指示表示を有し、さらにつり下げ又は自立若しくは釘打ち又はビス止め可能な構成としたことを特徴とする看板又は板。
【請求項５】
線分と前記線分に対して直角方向に配置した矢印とからなる駐車方向の指示表示を有するブロックであって、床面や壁面又は車止に埋め込み可能、若しくは車止めとして駐車スペースに取り付け可能な構成としたことを特徴とするブロック。
【請求項６】
請求項１〜請求項５のいずれかに記載した考案において、さらに駐車方向を指示する文言を表示したことを特徴とする駐車場の床面、駐車場の壁面、駐車スペース、シール、シート、看板、板又はブロック。
【手続補正２】
【補正対象書類名】明細書
【補正対象項目名】全文
【補正方法】変更
【補正の内容】
【考案の詳細な説明】
【技術分野】
【０００１】
本考案は駐車場に取り付ける表示であって、駐車場の駐車スペースに対して車を前進させて進入する駐車方向（以下単に「前向駐車」という。）、駐車スペースに対して車を後退させて進入する駐車方向（以下「後向駐車」という。）又は前向で駐車しても後向で駐車しても構わない駐車方向（以下「両向駐車」という。）のいずれの方向で駐車すべきかについて、利用者が一目瞭然に理解することを可能とした駐車方向の指示表示を有する駐車場の床面、駐車場の壁面及び駐車スペース、並びにシール、シート、看板、板及びブロックに関する。
【背景技術】
【０００２】
図３に示したように、通常のセダン型乗用自動車２１では後輪２１ａの中心からリヤバンパまでの距離であるリヤ  オーバーハングＡの方が、前輪２１ｂの中心からフロントバンパまでの距離であるフロントオーバーハングＢより長いことが多い。
このため駐車スペースＬに設置した、車止め２０ｃの車輪接触面から壁２０ｂや他の車などとの間のスペース（以下単に「車止奥スペース」という。）Ｊについて、前向駐車を採用すると後向駐車の場合と比べ狭くすむ。そこで車止奥スペースＪの広い駐車場では後向駐車を奨励し、車止奥スペースＪの狭い駐車場では前向駐車を奨励する場合がある。
しかし前向駐車をした場合、駐車スペースＬから出るときにハンドルを大きく回すと隣の車に衝突するため、隣の車との間の間隔を大きく取るか又は車が出入りするための通路（以下単に「出入通路」という。）２０ａの幅Ｋを広く取る必要が生じことから、後向駐車を奨励したり義務づける駐車場がある。
また周囲の植物を排気ガスから保護するため、あるいは周囲の壁や塀や住宅などが排気ガスにより汚れることを防ぐためなどの理由により、前向駐車を奨励したり義務づける駐車場がある。
前向駐車や後向駐車を奨励したり義務づけている駐車場では、駐車場の看板などに「前向駐車」、「後向駐車」、「前向駐車でお願いします」、「後向駐車でお願いします」、「前向駐車専用」、「後向駐車専用」、「前向駐車厳禁」又は「後向駐車厳禁」などといった駐車方向を指示する文言（以下単に「駐車指示文言」という。）を表示することが行われているが、このような駐車指示文言に気づく人は少ない。
このため、その駐車場を初めて利用する場合に、多くの利用者は駐車指示文言に気がつかずに止めてしまい、駐車場から出るときに初めて気がつくなど駐車場の利用者に気まずい思いをさせたり、一旦駐車スペースに車を止めた後に駐車指示文言に気がつき、駐車方向を変更して改めて駐車をやり直すなど、駐車場を利用する人に二度手間をかける問題があった。
【考案の開示】
【考案が解決しようとする課題】
【０００３】
本考案は、上記した欠点を除くためになされたものであってその目的とするところは、必ず駐車場の利用者の目に止まる表示であって前向駐車、後向駐車又は両向駐車の内のいずれの駐車方向で駐車するべきか、駐車場の利用者が一目瞭然に理解可能な駐車方向の指示表示を表示した駐車場の床面、駐車場の壁面及び駐車スペース並びに駐車表示を有するシール、シート、看板、板及びブロックを提供することにある。
【課題を解決するための手段】
【０００４】
本考案は、太い線で構成した線分と、線分に対して直角方向に配置した太い線で構成した矢印とからなる駐車方向の指示表示、又は、太い線で構成した線分と、線分に対して直角方向に配置した太い線で構成した矢印と、駐車指示文言とからなる駐車方向の指示表示を表示した駐車場の床面、駐車場の壁面若しくは駐車スペース又は駐車表示を有するシール、シート、看板、板若しくはブロックとする。
【考案の効果】
【０００５】
本考案により太い線で構成した線分と矢印を組み合わせた駐車方向の指示表示又は太い線で構成した線分と矢印と駐車指示文言を組み合わせた駐車方向の指示表示を表示した駐車場の床、駐車場の壁及び駐車スペース並びに駐車方向の指示表示を表示するシール、シート、看板、板及びブロックを提供したので、遠くの方からでも気がつくほど目立ち、また一目瞭然に駐車すべき方向について理解することができる。
【考案を実施するための最良の形態】
【０００６】
請求項１の考案は、線分と前記線分に対して直角方向に配置した矢印とからなる駐車方向の指示表示を、塗装して表示した駐車場の床面、駐車場の壁面又は駐車スペースとする。
線分を構成する線も、矢印を構成する線も、遠くの方から見えるように太い線とすることが好ましい。ここで矢印の矢が線分の方を向いているときは前向駐車を、矢印の矢が線分と反対方向を向いているときは後向駐車を、線分の方と線分の反対方向の両方に矢がついているときは両向駐車を意味している。
また、駐車場が利用者に所定の駐車方向で駐車することを利用者に希望している場合は、線分や矢印を白色、水色、緑色などの色合いの薄い色で構成し、駐車場が所定の駐車方向で駐車することを利用者に厳守させたい場合は、線分や矢印を黄色、黒色、赤色、濃紺など色合いの濃い色で構成することが好ましい。
請求項２の考案は、線分と前記線分に対して直角方向に配置した矢印とからなる駐車方向の指示表示を、小さなブロック又はタイルを並べて表示した駐車場の床面、駐車場の壁面又は駐車スペースとする。
本考案は、請求項１の考案に対し駐車方向の指示表示を、小さなブロックやタイルを並べて表示した点で異なる。
請求項３の考案は、線分と前記線分に対して直角方向に配置した矢印とからなる駐車方向の指示表示を有し、さらに糊面を有するシール又は糊を塗布する面を有するシートとする。
シールの場合は糊面のカバーを剥がして駐車場の床面や壁面などに張って使用する。シートの場合は糊を塗布した後に駐車場の床面や壁面などに張って使用する。
請求項４の考案は、線分と前記線分に対して直角方向に配置した矢印とからなる駐車方向の指示表示を有し、さらに、つり下げ又は自立若しくは釘打ち又はビス止め可能な構成とした看板又は板とする。
本考案は、駐車方向の指示表示を看板や板に表示して、看板や板を天井からつり下げたり、床に自立させたり、駐車場の塀や壁に釘打ちやビス止めにより取り付けて使用するようにしたものである。
請求項５の考案は、線分と前記線分に対して直角方向に配置した矢印とからなる駐車方向の指示表示を有するブロックであって、床面や壁面又は車止に埋め込み可能、若しくは車止めとして駐車スペースに取り付け可能な構成としたブロックとする。
本考案は、駐車方向の指示表示をブロックに表示して、ブロックを床面や壁面や車止めなどに埋め込んで使用したり、ブロック自身を車止めとして使用するようにしたものである。
請求項６の考案は、請求項１〜請求項５のいずれかに記載した考案において、さらに駐車方向を指示する文言を表示した駐車場の床面、駐車場の壁面、駐車スペース、シール、シート、看板、板又はブロックとする。
本考案においては、駐車指示文言を構成する文字を遠くの方から見えるように太く表示することが好ましい。
また、駐車場が利用者に所定の駐車方向で駐車することを利用者に希望している場合は、駐車指示文言を白色、水色、緑色などの色合いの薄い色で構成し、駐車場が所定の駐車方向で駐車することを利用者に厳守させたい場合は、駐車指示文言を黄色、黒色、赤色、濃紺など色合いの濃い色で構成することが好ましい。
【実施例１】
【０００７】
以下本考案の実施例１を図１に示し説明する。図１の（ａ）は、樹脂の板９に白色の太い線で構成した線分５と、白色の太い線で構成した矢印６であって矢が線分５の方を向いている矢印６をプリントした看板１である。
図１の（ｂ）は、樹脂の板９に白色の太い線で構成した線分５と、白色の太い線で構成した矢印７であって矢が線分５と反対方向を向いている矢印７をプリントした看板２である。
また、図１の（ｃ）は、樹脂の板９に白色の太い線で構成した線分５と、白色の太い線で構成した矢印８であって矢が線分５の方と線分の反対方向の両方を向いている矢印８をプリントした看板３である。
看板１は前向駐車を、看板２は後向駐車を、看板３は両向駐車を指示しており、白色の太い線で表示したことから、看板１、２、３  は駐車場が希望する駐車方向を表示する用途に適している。
実施例１の看板２は、図３に示した駐車場２０の駐車スペースの奥の壁２０ｂにビス止めして取り付ける。駐車場２０は出入通路２０ａと多数の駐車スペースＬを有しており、駐車スペースＬには車止め２０ｃが取り付けてある。
看板２を取り付けた駐車場２０では後向駐車を推奨しており、車止め２０ｃの車輪接触面から壁２０ｂまでの間のスペースである、車止奥スペースＪを通常のセダン型乗用自動車２１のリヤ  オーバーハングＡが収まるよう大きく取ってあるため、リヤ  オーバーハングＡより小さなフロントオーバーハングＢは余裕を持って収まる。また、出入り通路２０ａの幅Ｋにも余裕があるため駐車場２０では後向駐車を推奨するものの、必ず後向駐車でなければならないという程強い表示はしていない。
もちろん本実施例において、線分や矢印に黄色、黒色、赤色、濃紺などの濃い色彩を使用することにより、強制力の強い駐車方向の指示表示とすることも可能である。
【実施例２】
【０００８】
さらに実施例２を図２に示し説明する。図２の（ａ）は、樹脂のシート１９に赤色の太い線で構成した線分５と、赤色の太い線で構成した矢印６であって矢が線分５の方を向いている矢印６と、「後向駐車厳禁」の駐車指示文言１４を赤色の太い文字でプリントしてなるシール１１である。
図２の（ｂ）は、樹脂のシート１９に赤色の太い線で構成した線分５と、赤色の太い線で構成した矢印７であって矢が線分５と反対方向を向いている矢印７と、「後向駐車専用」の駐車指示文言１５を赤色の太い文字でプリントしてなるシール１２である。
また図２の（ｃ）は、樹脂のシート１９に赤色の太い線で構成した線分５と、赤色の太い線で構成した矢印８であって矢が線分５の方と線分の反対方向の両方を向いている矢印８と、「前後両方駐車可」の駐車指示文言１６を赤色の太い文字でプリントしてなるシール１３である。
シール１１は前向駐車を、シール１２は後向駐車を、シール１３は両向駐車を指示するために使用する。赤色の表示としたこと及び「後向駐車厳禁」や「後向駐車専用」及び「前後両向駐車可」の 駐車指示文言が付記してあることから、駐車場の利用者は遠くの方から駐車方向の指示表示の存在を認識すると共に、駐車場の利用者が一目瞭然に駐車すべき方向について理解することが可能である。
実施例２のシール１２は、図３に示した駐車場２０の駐車スペースの奥の壁２０ｂに貼り付けて取り付ける。駐車場２０は出入通路２０ａと多数の駐車スペースＬを有しており、駐車スペースＬには車止め２０ｃが取り付けてある。
シール１２を取り付けた駐車場２０では後向駐車専用の駐車場であり、車止め２０ｃの車輪接触面から壁２０ｂまでの間のスペースである、車止奥スペースＪを通常の自動車のリヤーオーバーハングＡが収まるよう大きく取ってあるが、出入り通路２０ａの幅Ｋには余裕がない。このため駐車場２０ではシール１２を貼り付けることにより、後向駐車専用の駐車場であることを強く示すために表示したものである。
【産業上の利用可能性】
【０００９】
本考案は、駐車場を提供する産業で利用される以外にも、駐車場を建築する産業や、床面や壁面に対して塗装工事を行う産業や、シールやシートなどを製造販売する産業や、板材を加工したり看板を製造販売する産業や、ブロックを製造販売する産業などで利用される。
【図面の簡単な説明】
【００１０】
【図１】実施例１の看板の正面図である。
【図２】実施例２のシールの正面図である。
【図３】駐車場の一部の側面視の断面図である。
【符号の説明】
【００１１】
１  ：看板                  ２  ：看板                  ３  ：看板
５  ：線分                  ６  ：矢印                  ７  ：矢印
８  ：矢印                  ９  ：樹脂の板            １１  ：シール
１２  ：シール              １３  ：シール              １４  ：駐車指示文言
１５  ：駐車指示文言        １６  ：駐車指示文言        １９  ：樹脂のシート
２０  ：駐車場              ２０ａ：出入通路            ２０ｂ：壁
２０ｃ：車止め              ２１  ：自動車              ２１ａ：後輪
２１ｂ：前輪                    Ｌ：駐車スペース
【手続補正書】
【提出日】平成18年5月31日(2006.5.31)
【手続補正１】
【補正対象書類名】実用新案登録請求の範囲
【補正対象項目名】全文
【補正方法】変更
【補正の内容】
【実用新案登録請求の範囲】
【請求項１】
線分と前記線分に対して直角方向に配置した矢印とからなる駐車方向の指示表示を、小さなブロック又はタイルを並べて表示したことを特徴とする駐車場の床面又は駐車場の壁面。
【請求項２】
線分と前記線分に対して直角方向に配置した矢印とからなる駐車方向の指示表示を有し、さらに糊面を有することを特徴とするシール。
【請求項３】
請求項１又は請求項２のいずれかに記載した考案において、さらに駐車方向を指示する文言を表示したことを特徴とする駐車場の床面、駐車場の壁面又はシール。
【手続補正２】
【補正対象書類名】明細書
【補正対象項目名】全文
【補正方法】変更
【補正の内容】
【考案の詳細な説明】
【技術分野】
【０００１】
本考案は駐車場に取り付ける表示であって、駐車場の駐車スペースに対して車を前進させて進入する駐車方向（以下単に「前向駐車」という。）、駐車スペースに対して車を後退させて進入する駐車方向（以下「後向駐車」という。）又は前向で駐車しても後向で駐車しても構わない駐車方向（以下「両向駐車」という。）のいずれの方向で駐車すべきかについて、利用者が一目瞭然に理解することを可能とした駐車方向の指示表示を有する駐車場の床面、駐車場の壁面及び駐車スペース、並びにシール、シート、看板、板及びブロックに関する。
【背景技術】
【０００２】
図３に示したように、通常のセダン型乗用自動車２１では後輪２１ａの中心からリヤバンパまでの距離であるリヤ  オーバーハングＡの方が、前輪２１ｂの中心からフロントバンパまでの距離であるフロントオーバーハングＢより長いことが多い。
このため駐車スペースＬに設置した、車止め２０ｃの車輪接触面から壁２０ｂや他の車などとの間のスペース（以下単に「車止奥スペース」という。）Ｊについて、前向駐車を採用すると後向駐車の場合と比べ狭くすむ。そこで車止奥スペースＪの広い駐車場では後向駐車を奨励し、車止奥スペースＪの狭い駐車場では前向駐車を奨励する場合がある。
しかし前向駐車をした場合、駐車スペースＬから出るときにハンドルを大きく回すと隣の車に衝突するため、隣の車との間の間隔を大きく取るか又は車が出入りするための通路（以下単に「出入通路」という。）２０ａの幅Ｋを広く取る必要が生じことから、後向駐車を奨励したり義務づける駐車場がある。
また周囲の植物を排気ガスから保護するため、あるいは周囲の壁や塀や住宅などが排気ガスにより汚れることを防ぐためなどの理由により、前向駐車を奨励したり義務づける駐車場がある。
前向駐車や後向駐車を奨励したり義務づけている駐車場では、駐車場の看板などに「前向駐車」、「後向駐車」、「前向駐車でお願いします」、「後向駐車でお願いします」、「前向駐車専用」、「後向駐車専用」、「前向駐車厳禁」又は「後向駐車厳禁」などといった駐車方向を指示する文言（以下単に「駐車指示文言」という。）を表示することが行われているが、このような駐車指示文言に気づく人は少ない。
このため、その駐車場を初めて利用する場合に、多くの利用者は駐車指示文言に気がつかずに止めてしまい、駐車場から出るときに初めて気がつくなど駐車場の利用者に気まずい思いをさせたり、一旦駐車スペースに車を止めた後に駐車指示文言に気がつき、駐車方向を変更して改めて駐車をやり直すなど、駐車場を利用する人に二度手間をかける問題があった。
【考案の開示】
【考案が解決しようとする課題】
【０００３】
本考案は、上記した欠点を除くためになされたものであってその目的とするところは、必ず駐車場の利用者の目に止まる表示であって前向駐車、後向駐車又は両向駐車の内のいずれの駐車方向で駐車するべきか、駐車場の利用者が一目瞭然に理解可能な駐車方向の指示表示を表示した駐車場の床面、駐車場の壁面及び駐車スペース並びに駐車表示を有するシール、シート、看板、板及びブロックを提供することにある。
【課題を解決するための手段】
【０００４】
本考案は、太い線で構成した線分と、線分に対して直角方向に配置した太い線で構成した矢印とからなる駐車方向の指示表示、又は、太い線で構成した線分と、線分に対して直角方向に配置した太い線で構成した矢印と、駐車指示文言とからなる駐車方向の指示表示を表示した駐車場の床面、駐車場の壁面若しくは駐車スペース又は駐車表示を有するシール、シート、看板、板若しくはブロックとする。
【考案の効果】
【０００５】
本考案により太い線で構成した線分と矢印を組み合わせた駐車方向の指示表示又は太い線で構成した線分と矢印と駐車指示文言を組み合わせた駐車方向の指示表示を表示した駐車場の床、駐車場の壁及び駐車スペース並びに駐車方向の指示表示を表示するシール、シート、看板、板及びブロックを提供したので、遠くの方からでも気がつくほど目立ち、また一目瞭然に駐車すべき方向について理解することができる。
【考案を実施するための最良の形態】
【０００６】
本考案の基本となる内容は、線分と前記線分に対して直角方向に配置した矢印とからなる駐車方向の指示表示を、塗装して表示した駐車場の床面、駐車場の壁面又は駐車スペースとする。
線分を構成する線も、矢印を構成する線も、遠くの方から見えるように太い線とすることが好ましい。ここで矢印の矢が線分の方を向いているときは前向駐車を、矢印の矢が線分と反対方向を向いているときは後向駐車を、線分の方と線分の反対方向の両方に矢がついているときは両向駐車を意味している。
また、駐車場が利用者に所定の駐車方向で駐車することを利用者に希望している場合は、線分や矢印を白色、水色、緑色などの色合いの薄い色で構成し、駐車場が所定の駐車方向で駐車することを利用者に厳守させたい場合は、線分や矢印を黄色、黒色、赤色、濃紺など色合いの濃い色で構成することが好ましい。
特に、線分と前記線分に対して直角方向に配置した矢印とからなる駐車方向の指示表示を、小さなブロック又はタイルを並べて表示した駐車場の床面、駐車場の壁面又は駐車スペースとする。
続いて、線分と前記線分に対して直角方向に配置した矢印とからなる駐車方向の指示表示を有し、さらに糊面を有するシール又は糊を塗布する面を有するシートとする。
シールの場合は糊面のカバーを剥がして駐車場の床面や壁面などに張って使用する。シートの場合は糊を塗布した後に駐車場の床面や壁面などに張って使用する。
また、線分と前記線分に対して直角方向に配置した矢印とからなる駐車方向の指示表示を有し、さらに、つり下げ又は自立若しくは釘打ち又はビス止め可能な構成とした看板又は板とする。
本考案は、駐車方向の指示表示を看板や板に表示して、看板や板を天井からつり下げたり、床に自立させたり、駐車場の塀や壁に釘打ちやビス止めにより取り付けて使用するようにしたものである。
さらに、線分と前記線分に対して直角方向に配置した矢印とからなる駐車方向の指示表示を有するブロックであって、床面や壁面又は車止に埋め込み可能、若しくは車止めとして駐車スペースに取り付け可能な構成としたブロックとする。
本考案は、駐車方向の指示表示をブロックに表示して、ブロックを床面や壁面や車止めなどに埋め込んで使用したり、ブロック自身を車止めとして使用するようにしたものである。
さらにまた、上記したいずれかの考案において、さらに駐車方向を指示する文言を表示した駐車場の床面、駐車場の壁面、駐車スペース、シール、シート、看板、板又はブロックとする。
本考案においては、駐車指示文言を構成する文字を遠くの方から見えるように太く表示することが好ましい。
また、駐車場が利用者に所定の駐車方向で駐車することを利用者に希望している場合は、駐車指示文言を白色、水色、緑色などの色合いの薄い色で構成し、駐車場が所定の駐車方向で駐車することを利用者に厳守させたい場合は、駐車指示文言を黄色、黒色、赤色、濃紺など色合いの濃い色で構成することが好ましい。
【実施例１】
【０００７】
以下本考案の実施例１を図１に示し説明する。図１の（ａ）は、樹脂の板９に白色の太い線で構成した線分５と、白色の太い線で構成した矢印６であって矢が線分５の方を向いている矢印６をプリントした看板１である。
図１の（ｂ）は、樹脂の板９に白色の太い線で構成した線分５と、白色の太い線で構成した矢印７であって矢が線分５と反対方向を向いている矢印７をプリントした看板２である。
また、図１の（ｃ）は、樹脂の板９に白色の太い線で構成した線分５と、白色の太い線で構成した矢印８であって矢が線分５の方と線分の反対方向の両方を向いている矢印８をプリントした看板３である。
看板１は前向駐車を、看板２は後向駐車を、看板３は両向駐車を指示しており、白色の太い線で表示したことから、看板１、２、３  は駐車場が希望する駐車方向を表示する用途に適している。
実施例１の看板２は、図３に示した駐車場２０の駐車スペースの奥の壁２０ｂにビス止めして取り付ける。駐車場２０は出入通路２０ａと多数の駐車スペースＬを有しており、駐車スペースＬには車止め２０ｃが取り付けてある。
看板２を取り付けた駐車場２０では後向駐車を推奨しており、車止め２０ｃの車輪接触面から壁２０ｂまでの間のスペースである、車止奥スペースＪを通常のセダン型乗用自動車２１のリヤ  オーバーハングＡが収まるよう大きく取ってあるため、リヤ  オーバーハングＡより小さなフロントオーバーハングＢは余裕を持って収まる。また、出入り通路２０ａの幅Ｋにも余裕があるため駐車場２０では後向駐車を推奨するものの、必ず後向駐車でなければならないという程強い表示はしていない。
もちろん本実施例において、線分や矢印に黄色、黒色、赤色、濃紺などの濃い色彩を使用することにより、強制力の強い駐車方向の指示表示とすることも可能である。
【実施例２】
【０００８】
さらに実施例２を図２に示し説明する。図２の（ａ）は、樹脂のシート１９に赤色の太い線で構成した線分５と、赤色の太い線で構成した矢印６であって矢が線分５の方を向いている矢印６と、「後向駐車厳禁」の駐車指示文言１４を赤色の太い文字でプリントしてなるシール１１である。
図２の（ｂ）は、樹脂のシート１９に赤色の太い線で構成した線分５と、赤色の太い線で構成した矢印７であって矢が線分５と反対方向を向いている矢印７と、「後向駐車専用」の駐車指示文言１５を赤色の太い文字でプリントしてなるシール１２である。
また図２の（ｃ）は、樹脂のシート１９に赤色の太い線で構成した線分５と、赤色の太い線で構成した矢印８であって矢が線分５の方と線分の反対方向の両方を向いている矢印８と、「前後両方駐車可」の駐車指示文言１６を赤色の太い文字でプリントしてなるシール１３である。
シール１１は前向駐車を、シール１２は後向駐車を、シール１３は両向駐車を指示するために使用する。赤色の表示としたこと及び「後向駐車厳禁」や「後向駐車専用」及び「前後両向駐車可」の 駐車指示文言が付記してあることから、駐車場の利用者は遠くの方から駐車方向の指示表示の存在を認識すると共に、駐車場の利用者が一目瞭然に駐車すべき方向について理解することが可能である。
実施例２のシール１２は、図３に示した駐車場２０の駐車スペースの奥の壁２０ｂに貼り付けて取り付ける。駐車場２０は出入通路２０ａと多数の駐車スペースＬを有しており、駐車スペースＬには車止め２０ｃが取り付けてある。
シール１２を取り付けた駐車場２０では後向駐車専用の駐車場であり、車止め２０ｃの車輪接触面から壁２０ｂまでの間のスペースである、車止奥スペースＪを通常の自動車のリヤーオーバーハングＡが収まるよう大きく取ってあるが、出入り通路２０ａの幅Ｋには余裕がない。このため駐車場２０ではシール１２を貼り付けることにより、後向駐車専用の駐車場であることを強く示すために表示したものである。
【産業上の利用可能性】
【０００９】
本考案は、駐車場を提供する産業で利用される以外にも、駐車場を建築する産業や、床面や壁面に対して塗装工事を行う産業や、シールやシートなどを製造販売する産業や、板材を加工したり看板を製造販売する産業や、ブロックを製造販売する産業などで利用される。
【図面の簡単な説明】
【００１０】
【図１】実施例１の看板の正面図である。
【図２】実施例２のシールの正面図である。
【図３】駐車場の一部の側面視の断面図である。
【符号の説明】
【００１１】
１  ：看板                  ２  ：看板                  ３  ：看板
５  ：線分                  ６  ：矢印                  ７  ：矢印
８  ：矢印                  ９  ：樹脂の板            １１  ：シール
１２  ：シール              １３  ：シール              １４  ：駐車指示文言
１５  ：駐車指示文言        １６  ：駐車指示文言        １９  ：樹脂のシート
２０  ：駐車場              ２０ａ：出入通路            ２０ｂ：壁
２０ｃ：車止め              ２１  ：自動車              ２１ａ：後輪
２１ｂ：前輪                    Ｌ：駐車スペース
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
線分と前記線分に対して直角方向に配置した矢印とからなる駐車方向の指示表示を、小さなブロック又はタイルを並べて表示したことを特徴とする駐車場の床面又は駐車場の壁面。
【請求項２】
線分と前記線分に対して直角方向に配置した矢印とからなる駐車方向の指示表示を有し、さらに糊面と前記糊面のカバーを有することを特徴とするシール。
【請求項３】
請求項１又は請求項２のいずれかに記載した考案において、さらに駐車方向を指示する文言を表示したことを特徴とする駐車場の床面、駐車場の壁面又はシール。
【手続補正２】
【補正対象書類名】明細書
【補正対象項目名】全文
【補正方法】変更
【補正の内容】
【考案の詳細な説明】
【技術分野】
【０００１】
本考案は駐車場に取り付ける表示であって、駐車場の駐車スペースに対して車を前進させて進入する駐車方向（以下単に「前向駐車」という。）、駐車スペースに対して車を後退させて進入する駐車方向（以下「後向駐車」という。）又は前向で駐車しても後向で駐車しても構わない駐車方向（以下「両向駐車」という。）のいずれの方向で駐車すべきかについて、利用者が一目瞭然に理解することを可能とした駐車方向の指示表示を有する駐車場の床面、駐車場の壁面及び駐車スペース、並びにシール、シート、看板、板及びブロックに関する。
【背景技術】
【０００２】
図３に示したように、通常のセダン型乗用自動車２１では後輪２１ａの中心からリヤバンパまでの距離であるリヤ  オーバーハングＡの方が、前輪２１ｂの中心からフロントバンパまでの距離であるフロントオーバーハングＢより長いことが多い。
このため駐車スペースＬに設置した、車止め２０ｃの車輪接触面から壁２０ｂや他の車などとの間のスペース（以下単に「車止奥スペース」という。）Ｊについて、前向駐車を採用すると後向駐車の場合と比べ狭くすむ。そこで車止奥スペースＪの広い駐車場では後向駐車を奨励し、車止奥スペースＪの狭い駐車場では前向駐車を奨励する場合がある。
しかし前向駐車をした場合、駐車スペースＬから出るときにハンドルを大きく回すと隣の車に衝突するため、隣の車との間の間隔を大きく取るか又は車が出入りするための通路（以下単に「出入通路」という。）２０ａの幅Ｋを広く取る必要が生じことから、後向駐車を奨励したり義務づける駐車場がある。
また周囲の植物を排気ガスから保護するため、あるいは周囲の壁や塀や住宅などが排気ガスにより汚れることを防ぐためなどの理由により、前向駐車を奨励したり義務づける駐車場がある。
前向駐車や後向駐車を奨励したり義務づけている駐車場では、駐車場の看板などに「前向駐車」、「後向駐車」、「前向駐車でお願いします」、「後向駐車でお願いします」、「前向駐車専用」、「後向駐車専用」、「前向駐車厳禁」又は「後向駐車厳禁」などといった駐車方向を指示する文言（以下単に「駐車指示文言」という。）を表示することが行われているが、このような駐車指示文言に気づく人は少ない。
このため、その駐車場を初めて利用する場合に、多くの利用者は駐車指示文言に気がつかずに止めてしまい、駐車場から出るときに初めて気がつくなど駐車場の利用者に気まずい思いをさせたり、一旦駐車スペースに車を止めた後に駐車指示文言に気がつき、駐車方向を変更して改めて駐車をやり直すなど、駐車場を利用する人に二度手間をかける問題があった。
【考案の開示】
【考案が解決しようとする課題】
【０００３】
本考案は、上記した欠点を除くためになされたものであってその目的とするところは、必ず駐車場の利用者の目に止まる表示であって前向駐車、後向駐車又は両向駐車の内のいずれの駐車方向で駐車するべきか、駐車場の利用者が一目瞭然に理解可能な駐車方向の指示表示を表示した駐車場の床面、駐車場の壁面及び駐車スペース並びに駐車表示を有するシール、シート、看板、板及びブロックを提供することにある。
【課題を解決するための手段】
【０００４】
本考案は、太い線で構成した線分と、線分に対して直角方向に配置した太い線で構成した矢印とからなる駐車方向の指示表示、又は、太い線で構成した線分と、線分に対して直角方向に配置した太い線で構成した矢印と、駐車指示文言とからなる駐車方向の指示表示を表示した駐車場の床面、駐車場の壁面若しくは駐車スペース又は駐車表示を有するシール、シート、看板、板若しくはブロックとする。
【考案の効果】
【０００５】
本考案により太い線で構成した線分と矢印を組み合わせた駐車方向の指示表示又は太い線で構成した線分と矢印と駐車指示文言を組み合わせた駐車方向の指示表示を表示した駐車場の床、駐車場の壁及び駐車スペース並びに駐車方向の指示表示を表示するシール、シート、看板、板及びブロックを提供したので、遠くの方からでも気がつくほど目立ち、また一目瞭然に駐車すべき方向について理解することができる。
【考案を実施するための最良の形態】
【０００６】
本考案の基本となる内容は、線分と前記線分に対して直角方向に配置した矢印とからなる駐車方向の指示表示を、塗装して表示した駐車場の床面、駐車場の壁面又は駐車スペースとする。
線分を構成する線も、矢印を構成する線も、遠くの方から見えるように太い線とすることが好ましい。ここで矢印の矢が線分の方を向いているときは前向駐車を、矢印の矢が線分と反対方向を向いているときは後向駐車を、線分の方と線分の反対方向の両方に矢がついているときは両向駐車を意味している。
また、駐車場が利用者に所定の駐車方向で駐車することを利用者に希望している場合は、線分や矢印を白色、水色、緑色などの色合いの薄い色で構成し、駐車場が所定の駐車方向で駐車することを利用者に厳守させたい場合は、線分や矢印を黄色、黒色、赤色、濃紺など色合いの濃い色で構成することが好ましい。
特に、線分と前記線分に対して直角方向に配置した矢印とからなる駐車方向の指示表示を、小さなブロック又はタイルを並べて表示した駐車場の床面、駐車場の壁面又は駐車スペースとする。
続いて、線分と前記線分に対して直角方向に配置した矢印とからなる駐車方向の指示表示を有し、さらに糊面と糊面のカバーを有するシール又は糊を塗布する面を有するシートとする。
シールの場合は糊面のカバーを剥がして駐車場の床面や壁面などに張って使用する。シートの場合は糊を塗布した後に駐車場の床面や壁面などに張って使用する。
また、線分と前記線分に対して直角方向に配置した矢印とからなる駐車方向の指示表示を有し、さらに、つり下げ又は自立若しくは釘打ち又はビス止め可能な構成とした看板又は板とする。
本考案は、駐車方向の指示表示を看板や板に表示して、看板や板を天井からつり下げたり、床に自立させたり、駐車場の塀や壁に釘打ちやビス止めにより取り付けて使用するようにしたものである。
さらに、線分と前記線分に対して直角方向に配置した矢印とからなる駐車方向の指示表示を有するブロックであって、床面や壁面又は車止に埋め込み可能、若しくは車止めとして駐車スペースに取り付け可能な構成としたブロックとする。
本考案は、駐車方向の指示表示をブロックに表示して、ブロックを床面や壁面や車止めなどに埋め込んで使用したり、ブロック自身を車止めとして使用するようにしたものである。
さらにまた、上記したいずれかの考案において、さらに駐車方向を指示する文言を表示した駐車場の床面、駐車場の壁面、駐車スペース、シール、シート、看板、板又はブロックとする。
本考案においては、駐車指示文言を構成する文字を遠くの方から見えるように太く表示することが好ましい。
また、駐車場が利用者に所定の駐車方向で駐車することを利用者に希望している場合は、駐車指示文言を白色、水色、緑色などの色合いの薄い色で構成し、駐車場が所定の駐車方向で駐車することを利用者に厳守させたい場合は、駐車指示文言を黄色、黒色、赤色、濃紺など色合いの濃い色で構成することが好ましい。
【実施例１】
【０００７】
以下本考案の実施例１を図１に示し説明する。図１の（ａ）は、樹脂の板９に白色の太い線で構成した線分５と、白色の太い線で構成した矢印６であって矢が線分５の方を向いている矢印６をプリントした看板１である。
図１の（ｂ）は、樹脂の板９に白色の太い線で構成した線分５と、白色の太い線で構成した矢印７であって矢が線分５と反対方向を向いている矢印７をプリントした看板２である。
また、図１の（ｃ）は、樹脂の板９に白色の太い線で構成した線分５と、白色の太い線で構成した矢印８であって矢が線分５の方と線分の反対方向の両方を向いている矢印８をプリントした看板３である。
看板１は前向駐車を、看板２は後向駐車を、看板３は両向駐車を指示しており、白色の太い線で表示したことから、看板１、２、３  は駐車場が希望する駐車方向を表示する用途に適している。
実施例１の看板２は、図３に示した駐車場２０の駐車スペースの奥の壁２０ｂにビス止めして取り付ける。駐車場２０は出入通路２０ａと多数の駐車スペースＬを有しており、駐車スペースＬには車止め２０ｃが取り付けてある。
看板２を取り付けた駐車場２０では後向駐車を推奨しており、車止め２０ｃの車輪接触面から壁２０ｂまでの間のスペースである、車止奥スペースＪを通常のセダン型乗用自動車２１のリヤ  オーバーハングＡが収まるよう大きく取ってあるため、リヤ  オーバーハングＡより小さなフロントオーバーハングＢは余裕を持って収まる。また、出入り通路２０ａの幅Ｋにも余裕があるため駐車場２０では後向駐車を推奨するものの、必ず後向駐車でなければならないという程強い表示はしていない。
もちろん本実施例において、線分や矢印に黄色、黒色、赤色、濃紺などの濃い色彩を使用することにより、強制力の強い駐車方向の指示表示とすることも可能である。
【実施例２】
【０００８】
さらに実施例２を図２に示し説明する。図２の（ａ）は、樹脂のシート１９に赤色の太い線で構成した線分５と、赤色の太い線で構成した矢印６であって矢が線分５の方を向いている矢印６と、「後向駐車厳禁」の駐車指示文言１４を赤色の太い文字でプリントしてなるシール１１である。
図２の（ｂ）は、樹脂のシート１９に赤色の太い線で構成した線分５と、赤色の太い線で構成した矢印７であって矢が線分５と反対方向を向いている矢印７と、「後向駐車専用」の駐車指示文言１５を赤色の太い文字でプリントしてなるシール１２である。
また図２の（ｃ）は、樹脂のシート１９に赤色の太い線で構成した線分５と、赤色の太い線で構成した矢印８であって矢が線分５の方と線分の反対方向の両方を向いている矢印８と、「前後両方駐車可」の駐車指示文言１６を赤色の太い文字でプリントしてなるシール１３である。
シール１１は前向駐車を、シール１２は後向駐車を、シール１３は両向駐車を指示するために使用する。赤色の表示としたこと及び「後向駐車厳禁」や「後向駐車専用」及び「前後両向駐車可」の 駐車指示文言が付記してあることから、駐車場の利用者は遠くの方から駐車方向の指示表示の存在を認識すると共に、駐車場の利用者が一目瞭然に駐車すべき方向について理解することが可能である。
実施例２のシール１２は、図３に示した駐車場２０の駐車スペースの奥の壁２０ｂに貼り付けて取り付ける。駐車場２０は出入通路２０ａと多数の駐車スペースＬを有しており、駐車スペースＬには車止め２０ｃが取り付けてある。
シール１２を取り付けた駐車場２０では後向駐車専用の駐車場であり、車止め２０ｃの車輪接触面から壁２０ｂまでの間のスペースである、車止奥スペースＪを通常の自動車のリヤーオーバーハングＡが収まるよう大きく取ってあるが、出入り通路２０ａの幅Ｋには余裕がない。このため駐車場２０ではシール１２を貼り付けることにより、後向駐車専用の駐車場であることを強く示すために表示したものである。
【産業上の利用可能性】
【０００９】
本考案は、駐車場を提供する産業で利用される以外にも、駐車場を建築する産業や、床面や壁面に対して塗装工事を行う産業や、シールやシートなどを製造販売する産業や、板材を加工したり看板を製造販売する産業や、ブロックを製造販売する産業などで利用される。
【図面の簡単な説明】
【００１０】
【図１】実施例１の看板の正面図である。
【図２】実施例２のシールの正面図である。
【図３】駐車場の一部の側面視の断面図である。
【符号の説明】
【００１１】
１  ：看板                  ２  ：看板                  ３  ：看板
５  ：線分                  ６  ：矢印                  ７  ：矢印
８  ：矢印                  ９  ：樹脂の板            １１  ：シール
１２  ：シール              １３  ：シール              １４  ：駐車指示文言
１５  ：駐車指示文言        １６  ：駐車指示文言        １９  ：樹脂のシート
２０  ：駐車場              ２０ａ：出入通路            ２０ｂ：壁
２０ｃ：車止め              ２１  ：自動車              ２１ａ：後輪
２１ｂ：前輪                    Ｌ：駐車スペース